(57)【要約】【課題】  電動工具を保持する保持台を有効活用し、電動工具自体を大型化や高コスト化させることなく、各電動工具の劣化や故障を判断して表示することのできる電動工具の診断システムを提供する。【解決手段】  電動工具１と保持台２とから成る電動工具の診断システムである。電動工具１側には、電動工具１の作業履歴を記憶させておくメモリ９と、メモリ９の作業履歴のデータを発信する工具通信部１０とを備える。保持台２側には、工具通信部１０からのデータを受信する保持台通信部１４と、受信したデータを基に電動工具１の劣化及び又は故障を判定する診断部１５と、診断部１５の診断結果を表示する表示部１６とを備える。【選択図】        図１
2009083043.tif 000002
【特許請求の範囲】
【請求項１】
電動工具と、作業時以外に該電動工具を保持しておく保持台とを用いて形成される電動工具の診断システムであって、電動工具側には、電動工具の作業履歴を記憶させておくメモリと、メモリの作業履歴のデータを発信する工具通信部とを備え、保持台側には、工具通信部からのデータを受信する保持台通信部と、受信したデータを基に電動工具の劣化及び又は故障を判定する診断部と、診断部の診断結果を表示する表示部とを備えたことを特徴とする電動工具の診断システム。
【請求項２】
電動工具側に、電動工具の現在の動作状態を検出する動作状態検出部を備え、工具通信部からは作業履歴と動作状態のデータを発信するとともに、保持台側の診断部では保持台通信部で受信した作業履歴と動作状態のデータを基に電動工具の劣化及び又は故障を判定することを特徴とする請求項１に記載の電動工具の診断システム。
【請求項３】
複数の保持台にネットワーク接続される管理装置を備え、該管理装置に、保持台側の診断部を備えることを特徴とする請求項１又は２に記載の電動工具の診断システム。
【発明の詳細な説明】
【技術分野】
【０００１】
本発明は、電動工具の劣化や故障を診断する診断システムに関する。
【背景技術】
【０００２】
従来から、作業時以外に電動工具を保持させておくために、例えば特許文献１に記載のような保持台が用いられている。このような保持台は、工場のライン等で好適に用いられる。
【０００３】
ところで、特に工場のライン等で用いられる電動工具においては、その劣化度合いや故障の有無を的確に判断することが求められる。これを実現するためには、例えば電動工具自体に、劣化や故障を判定するための手段と、その判定結果を表示する表示手段とを備えておくことが考えられる。
【０００４】
しかし、上記のように電動工具毎に判定手段や表示手段を設ける構成にすると、電動工具自体の大型化や高コスト化を招くという問題がある。また、電動工具の操作パネル等に大型の表示手段を設けることも困難であるから、使用者が判定結果を視認し難いものになるという問題もある。
【特許文献１】実開平６−６３２８５号公報
【発明の開示】
【発明が解決しようとする課題】
【０００５】
本発明は上記問題点に鑑みて発明したものであって、通常は電動工具の保持機能を有するのみである保持台を有効活用し、電動工具自体を大型化や高コスト化させることなく、作業時以外に電動工具を保持させてある間に各電動工具の劣化や故障を判断して表示することのできる電動工具の診断システムを提供することを、課題とするものである。
【課題を解決するための手段】
【０００６】
上記課題を解決するための本発明は、電動工具１と、作業時以外に該電動工具１を保持しておく保持台２とを用いて形成される電動工具の診断システムであって、電動工具１側には、電動工具１の作業履歴を記憶させておくメモリ９と、メモリ９の作業履歴のデータを発信する工具通信部１０とを備え、保持台２側には、工具通信部１０からのデータを受信する保持台通信部１４と、受信したデータを基に電動工具１の劣化及び又は故障を判定する診断部１５と、診断部１５の診断結果を表示する表示部１６とを備えたことを特徴としている。
【０００７】
このようにすることで、各電動工具１にはメモリ９と工具通信部１０を備えておくだけでよく、作業履歴のデータを基にした劣化や故障の判定は、保持台２側に備えてある診断部１５で行うことができる。また、表示部１６を電動工具１側ではなく保持部２側に設けてあることで、電動工具１側の構造の制約を受けることなく、使用者にとって視認し易いように大型に設けることができる。
【０００８】
つまり、通常は電動工具１を保持する機能を有するのみである保持台２を有効活用し、各電動工具１自体の大型化や高コスト化は抑制しながら、作業時以外に電動工具１を保持させてある間に各電動工具１の劣化具合や故障の有無を判断して表示することが可能となる。
【０００９】
上記構成の電動工具の診断システムにおいては、電動工具１側に、電動工具１の現在の動作状態を検出する動作状態検出部１１を備え、工具通信部１０からは作業履歴と動作状態のデータを発信するとともに、保持台２側の診断部１５では保持台通信部１４で受信した作業履歴と動作状態のデータを基に電動工具１の劣化及び又は故障を判定することも好適である。このようにすることで、過去の作業履歴のデータと、現在の動作状態のデータの両方を基にして更に確実な診断を行うことができる。
【００１０】
また、複数の保持台２にネットワーク接続される管理装置１８を備え、該管理装置１８に、保持台２側の診断部１５を一括して備えることも好適である。このようにすることで、保持台２毎に診断部１５を備える必要がなく低コスト化が図られる。また、管理装置１８において各電動工具１のデータや診断結果を一元管理することができる。
【発明の効果】
【００１１】
請求項１に係る発明は、通常は電動工具の保持機能を有するのみである保持台を有効活用することで、電動工具自体を大型化や高コスト化させることなく、電動工具を保持させてある間に各電動工具の劣化や故障を判断して表示することが可能になるという効果を奏する。
【００１２】
また請求項２に係る発明は、請求項１に係る発明の効果に加えて、更に確実な診断を行うことができるという効果を奏する。
【００１３】
また請求項３に係る発明は、請求項１又は２に係る発明の効果に加えて、更なる低コスト化が図られるとともに、管理装置において各電動工具のデータや診断結果を一元管理することができるという効果を奏する。
【発明を実施するための最良の形態】
【００１４】
以下、本発明を添付図面に示す実施形態に基づいて説明する。図１及び図２には、本発明の実施形態における一例の電動工具の診断システムを示している。本例の診断システムは、特に工場のライン等で好適に用いられるシステムであって、電動工具１と、この電動工具１を作業時以外に保持しておくための保持台２とで形成されている。
【００１５】
図２に示すように、電動工具１は、ハウジング３内に駆動源であるモータ４や、モータ４の出力を先端側に伝達する伝達機構５を備え、先端に装着される先端工具６にまで伝達機構５を通じて出力を伝達させる構造である。電動工具１には、モータ４のオンオフ等を操作するトリガ状の操作スイッチ７と、この操作スイッチ７からの入力に応じてモータ４を駆動制御する制御部８とを備えており、複数種類備えてある先端工具６のうち作業に用いるものを選択して装着したうえで、操作スイッチ７を引き込んでモータ４を回転駆動させ、伝達機構５を介して先端工具６を回転駆動させるものである。
【００１６】
図１に示すように、電動工具１側には、電動工具１の作業履歴を記憶させておく不揮発性のメモリ９と、メモリ９に記憶させてある作業履歴のデータを保持台２側にむけて発信する工具通信部１０とを備えている。上記メモリ９は制御部８と接続されており、電動工具１の作業履歴として、操作スイッチ７を引き込み操作してモータ４を駆動させた駆動時間の累積値を記憶するように設けている。上記工具通信部１０は、データを無線で送信する端子部から成り、メモリ９と接続させている。
【００１７】
更に、電動工具１には、電動工具１の現在の動作状態を検出する動作状態検出部１１として、モータ４に流れる電流を検知する電流センサ１２を備えている。電流センサ１２は工具通信部１０に接続されており、現在のモータ電流値のデータが工具通信部１０を介して保持台２側に送信されるようになっている。
【００１８】
保持台２は、電動工具１を位置決めして保持しておくための収納凹所１３ａを有する保持枠部１３と、電動工具１の工具通信部１０との間で無線通信を行う保持台通信部１４と、保持台通信部１４を通じて受信したデータを基にして後述のように電動工具１の劣化及び又は故障を判定する診断部１５と、この診断部１５による診断結果を表示するための液晶画面から成る表示部１６とを備えている。
【００１９】
保持台通信部１４は、保持枠部１３の収納凹所１３ａ内に保持させた状態にある電動工具１の工具通信部１０と対向する位置に設けており、工具通信部１０を成す端子部との間で赤外線による無線通信を行う端子部で形成されている（両端子部は図２中には示していない）。なお、本例においては赤外線による無線通信でデータを送受信する構成となっているが、他の無線通信による送受信や、或いは有線通信による送受信であってもよい。
【００２０】
診断部１５は、両通信部１０，１４を通じて得た電動工具１の作業履歴のデータ、即ちメモリ９に記憶させてある電動工具１の駆動時間の累積値を基にして、該電動工具１の劣化具合を判定する。具体的には、駆動時間の累積値が所定値ａ１を超えた場合は劣化が進んでいて寿命に達していると判定し、表示部１６に、その保持中の電動工具１が寿命であってメンテナンスが必要である旨を表示させる。また、上記所定値ａ１よりも小さな他の所定値ａ２を設定しておき、駆動時間の累積値が上記所定値ａ１よりは小さく且つ上記他の所定値ａ２よりは大きな値である場合には、劣化が相当程度進んでいて寿命（メンテナンス時期）が近いことを表示させてもよい。このとき、寿命に達するまでの残りの駆動時間を表示部１６に表示させることも好ましい。
【００２１】
また、電動工具１がハンマを備えるインパクト工具である場合には、電動工具１にてハンマの打撃数をカウントするとともに作業履歴として打撃数の累積値をメモリ９に記憶させておくことも好適である。この場合、保持台２の診断部１５において、電動工具１から得た打撃数の累積値が所定値ｂ１を超えた場合は劣化が進んでいて寿命に達していると判定し、表示部１６にその保持中の電動工具１が寿命であってメンテナンスが必要である旨を表示させる。また、上記所定値ｂ１よりも小さな他の所定値ｂ２を設定しておき、打撃数の累積値が上記所定値ｂ１よりは小さく且つ上記他の所定値ｂ２よりは大きな値である場合には、劣化が相当程度進んでいて寿命（メンテナンス時期）が近いことを表示させてもよい。このとき、寿命に達するまでの残りの打撃数を表示部１６に表示させることも好ましい。
【００２２】
更に、本例の診断システムにあっては上記作業履歴のデータ（つまり駆動時間の累積値）に加えて、電動工具１の現在の動作状態のデータ（つまり電流センサ１２により検出されるモータ電流値）を基にして診断を行う他の診断モードを有している。この診断モードにおいては、診断をするに際して、保持枠部１３に保持させた状態で電動工具１の操作スイッチ７を操作してモータ４を一定時間だけ検査用に駆動させ、モータ電流値を検出させる。
【００２３】
診断部１５は、両通信部１０，１４を介して入力される駆動時間の累積値とモータ電流値とを用いて、劣化の進み具合や故障の有無を判定する。具体的には、駆動時間の累積値が所定値ａ１を超えている場合には、既述した診断モードと同様に寿命に達していると判定し、表示部１６にメンテナンスが必要である旨を表示させる。
【００２４】
駆動時間の累積値が所定値ａ１以下である場合には、入力されたモータ電流値が所定の正常範囲内にあるか否かをみる。ここで正常範囲内にない場合には、その電動工具１が故障していると判定し、表示部１６に修理が必要である旨を表示させる。また、ここで正常範囲内にある場合には電動工具１は正常であると判定し、表示部１６にその旨を表示させる。
【００２５】
なお、上記作業履歴のデータとして打撃数の累積値を用いた場合も、判定の方法は同様である。即ち、打撃数の累積値が所定値ｂ１を超えている場合には寿命に達していると判定し、表示部１６にメンテナンスが必要である旨を表示させる。打撃数の累積値が所定値ｂ１以下である場合には、入力されたモータ電流値が所定の正常範囲内にあるか否かをみて、正常範囲内にない場合には、故障と判定して表示部１６に修理が必要である旨を表示させる。正常範囲内にある場合には、電動工具１は正常であると判定して表示部１６にその旨を表示させる。
【００２６】
以上、作業履歴のデータとして駆動時間の累積値と打撃数の累積値のデータを挙げ、現在の動作状態のデータとしてモータ電流値を挙げて説明したが、本発明はこれに限定されるものではなく、他のデータを用いても構わない。
【００２７】
図３には、本発明の実施形態における他例の電動工具の診断システムを示している。本例の基本的構成は図１、図２に基づいて既述した一例の構成と同様であるから、一致する構成については詳しい説明を省略し、一例とは相違する特徴的な構成についてのみ以下に詳述する。
【００２８】
本例の診断システムにおいては、保持台２を複数台備え、各保持台２に電動工具１が保持されるように設けている。各保持台２にはネットワーク通信部１７が設けてあり、このネットワーク通信部１７を介して、各保持台２を管理装置１８にネットワーク接続させている。そして、一例においては保持台２毎に備えていた診断部１５を、本例においては保持台２側の診断部１５として管理装置１８に一括して備えている。
【００２９】
したがって、各保持台２に保持される電動工具１の作業履歴や動作状態のデータは、保持台２を経由してネットワーク接続される管理装置１８に送られ、管理装置１８の診断部１５において一例と同様の判定に用いられる。判定結果は管理装置１８にて一元管理されるとともに、管理装置１８に備えてある表示部１６に表示される。
【００３０】
なお、図示はしていないが、各保持台２に表示部１６を備えておいてもよい。この場合には、管理装置１８の診断部１５での判定結果を、その電動工具１を保持する保持台２の表示部１６に表示させることができる。
【００３１】
即ち、本発明の保持台２側の診断部１５や表示部１６は、保持台２毎に備えた構成に限定されず、保持台２にネットワーク接続される管理装置１８に備えた構成も含むものである。
【図面の簡単な説明】
【００３２】
【図１】本発明の実施形態における一例の電動工具の診断システムの構成図である。
【図２】同上の診断システムの斜視図である。
【図３】本発明の実施形態における他例の電動工具の診断システムの構成図である。
【符号の説明】
【００３３】
１  電動工具
２  保持台
９  メモリ
１０  工具通信部
１１  動作状態検出部
１４  保持台通信部
１５  診断部
１６  表示部
１８  管理装置
【図１】
2009083043.tif 000003
【図２】
2009083043.tif 000004
【図３】
2009083043.tif 000005